(57)【特許請求の範囲】
【請求項１】
ヘルメットと、このヘルメットの被装着部にガス検知器装着用連結部材を介して装着された、検知対象ガスを検知したときに作動する振動子を有するガス検知器とよりなり、
前記ガス検知器装着用連結部材は、弾性金属板が湾曲部を介して折り返されて形成されたＵ字状のクリップ部材よりなり、当該クリップ部材の湾曲した頂部によるガス検知器連結部が、ガス検知器に設けられた連結用ピンに遊嵌されることにより、ガス検知器が当該ガス検知器装着用連結部材に遊嵌状態で連結され、
前記ヘルメットの被装着部は、ヘルメットに着脱自在に装着される、クリップ受け部分を有する被連結部材よりなり、当該被連結部材のクリップ受け部分に、前記クリップ部材の頂部から伸びる一方の舌片が遊嵌状態に係合されることにより、前記ガス検知器装着用連結部材が当該被連結部材に遊嵌状態で連結されることを特徴とするガス検知器付ヘルメット。
【請求項２】
検知対象ガスを検知したときに作動する振動子を有するガス検知器と、ヘルメットに着脱自在に装着される被連結部材と、前記ガス検知器を被連結部材に着脱自在に連結するためのガス検知器装着用連結部材とよりなり、
前記ガス検知器装着用連結部材は、弾性金属板が湾曲部を介して折り返されて形成されたＵ字状のクリップ部材よりなり、当該クリップ部材の湾曲した頂部によるガス検知器連結部が、ガス検知器に設けられた連結用ピンに遊嵌されることにより、ガス検知器が当該ガス検知器装着用連結部材に遊嵌状態で連結され、
前記被連結部材はクリップ受け部分を有し、当該クリップ受け部分に前記クリップ部材の頂部から伸びる一方の舌片が遊嵌状態に係合されることにより、前記ガス検知器装着用連結部材が被連結部材に遊嵌状態で連結されることを特徴とするヘルメット装着用ガス検知器。
【発明の詳細な説明】
【技術分野】
【０００１】
本発明は、ガス検知器付ヘルメットおよびヘルメット装着用ガス検知器に関するものである。
【背景技術】
【０００２】
有毒ガスや酸欠状態の危険から作業員などの安全を確保するために、検知対象ガスの状態を検知したときに発音手段を作動させ、発生した警報音を作業員などに認識させるヘルメット装着用警報装置が提案されている（特許文献１参照）。
【０００３】
しかしながら、このヘルメット装着用警報装置では、作業現場などにおける騒音が大きい場合には、ヘルメット装着者が警報音を確実に認識し判別することが困難であるという問題点がある。
【０００４】
【特許文献１】特開平７−２３９９８２号公報
【発明の開示】
【発明が解決しようとする課題】
【０００５】
本発明は、以上のような事情に基づいてなされたものであって、その目的は、ヘルメット装着者にガス検知器による警報を確実に伝達することのできるガス検知器付ヘルメットおよびヘルメット装着用ガス検知器を提供することにある。
【課題を解決するための手段】
【０００６】
本発明のガス検知器付ヘルメットは、ヘルメットと、このヘルメットの被装着部にガス検知器装着用連結部材を介して装着された、検知対象ガスを検知したときに作動する振動子を有するガス検知器とよりなり、
前記ガス検知器装着用連結部材は、弾性金属板が湾曲部を介して折り返されて形成されたＵ字状のクリップ部材よりなり、当該クリップ部材の湾曲した頂部によるガス検知器連結部が、ガス検知器に設けられた連結用ピンに遊嵌されることにより、ガス検知器が当該ガス検知器装着用連結部材に遊嵌状態で連結され、
前記ヘルメットの被装着部は、ヘルメットに着脱自在に装着される、クリップ受け部分を有する被連結部材よりなり、当該被連結部材のクリップ受け部分に、前記クリップ部材の頂部から伸びる一方の舌片が遊嵌状態に係合されることにより、前記ガス検知器装着用連結部材が当該被連結部材に遊嵌状態で連結されることを特徴とする。
【０００９】
本発明のヘルメット装着用ガス検知器は、検知対象ガスを検知したときに作動する振動子を有するガス検知器と、ヘルメットに着脱自在に装着される被連結部材と、前記ガス検知器を被連結部材に着脱自在に連結するためのガス検知器装着用連結部材とよりなり、
前記ガス検知器装着用連結部材は、弾性金属板が湾曲部を介して折り返されて形成されたＵ字状のクリップ部材よりなり、当該クリップ部材の湾曲した頂部によるガス検知器連結部が、ガス検知器に設けられた連結用ピンに遊嵌されることにより、ガス検知器が当該ガス検知器装着用連結部材に遊嵌状態で連結され、
前記被連結部材はクリップ受け部分を有し、当該クリップ受け部分に前記クリップ部材の頂部から伸びる一方の舌片が遊嵌状態に係合されることにより、前記ガス検知器装着用連結部材が被連結部材に遊嵌状態で連結されることを特徴とする。
【発明の効果】
【００１０】
本発明のガス検知器付ヘルメットにおいて、ガス検知器において検知対象ガスが検知されると振動子が作動するが、当該ガス検知器に対してガス検知器装着用連結部材（以下において、単に「連結部材」ともいう。）が遊嵌状態で連結されているために、ガス検知器それ自体が当該連結部材に対して振動体として作用すると共に、更に、当該連結部材がヘルメットの被装着部に対して遊嵌状態で連結されているために、当該ヘルメットに対して、ガス検知器および連結部材の連結体が複合的振動体として作用し、結局、ガス検知器の振動子の振動によって、連結部材における２つの遊嵌状態の連結によって順次に大きい振動が発生されるので、ヘルメットに対しては、その被装着部を介して大きく増幅された振動が伝達されることとなる。
その結果、ヘルメット装着者は、頭部に装着しているヘルメットの全体が振動することにより、頭部に大きな振動を直接的に受けることとなる。このように、本発明によれば、ガス検知器が検知対象ガスを検知したときの警報をヘルメット装着者に確実に伝達することができる。
【００１１】
また、本発明のヘルメット装着用ガス検知器によれば、任意のヘルメットについて上記のガス検知器付ヘルメットを実施することができる。
【発明を実施するための最良の形態】
【００１２】
以下、図面を参照して、本発明の実施の形態について詳細に説明する。
図１は、本発明のガス検知器付ヘルメットの一例における要部を示す説明用断面図であり、１０はヘルメットであり、このヘルメット１０には、ガス検知器装着用連結部材３０を介して、ガス検知器４０が装着されている。
【００１３】
図２は、ガス検知器４０の正面図であって、中央に表示部４１が配置されると共に、その左右にガスセンサー４２およびブザー４３が配置されており、更に、上部に発光部４４が設けられている。また、このガス検知器４０は振動モータよりなる振動子４６（図３参照）を内蔵しており、ガスセンサーが検知対象ガスを検知したとき、例えば特定の有毒ガスや酸素濃度の低下を検知したときに、当該振動子４６が作動して振動による警報を発すると共に、ブザー４３による警報音および発光部４４による警報光が発せられる。４７は操作部である。
【００１４】
図３は、ガス検知器４０に連結部材３０が連結された状態を示す説明用縦断側面図であり、図４は、連結部（図３のＸ部分）の拡大図である。
この例において、連結部材３０は、弾性金属板が変形加工されて形成された、全体が大略Ｕ字状のクリップ部材よりなり、頂部湾曲部３１が、ガス検知器４０の背面上部に設けられた、当該ガス検知器４０の上縁に沿って水平方向に伸びる連結用ピン５０と遊嵌状態に係合されている。具体的には、当該クリップ部材の頂部湾曲部３１が連結用ピン５０の径より遙かに大きい曲率半径で湾曲しており、連結用ピン５０が設けられているガス検知器４０の間隙部４８の幅は、クリップ部材を形成する弾性金属板の厚みより大きいものとされている。
【００１５】
そして、連結部材３０に係るクリップ部材の頂部湾曲部３１から伸びる２枚の舌片のうち、ガス検知器４０側に位置される内側片３２の先端（図３における下端）３２Ａは、ガス検知器４０の下縁に沿って水平方向に伸びる、前記連結用ピン５０と同様の被係合ピン５２に弾性的に係止されており、この係止点を中心に、当該連結部材３０がガス検知器４０に対して微小移動可能とされている。
【００１６】
また、連結部材３０に係るクリップ部材の頂部湾曲部３１から伸びる舌片のうちの外側に位置される外側片３３は、図５にも示されているように、先端（下端）部３３Ａが半円形に形成されていると共に、先端近傍の位置に、内側片３２との間に間隔を形成するための内方突出部３３Ｂが形成されている。
【００１７】
一方、図１に示されているように、ヘルメット１０にはガス検知器４０を装着するための被装着部が設けられている。具体的には、この被装着部は、弾性金属板が変形加工されて形成された被連結部材２０により構成されている。
この被連結部材２０は、下方側部分にヘルメット１０に当該被連結部材２０を装着するための固定用挟圧部２１が形成されると共に、上方側部分にはヘルメット１０の外面に位置するよう、クリップ受け部分２２が形成されている。
【００１８】
被連結部材２０の固定用挟圧部２１は折り返された形態を有し、この固定用挟圧部２１が、ヘルメット１０の周縁部１０Ａをその弾性力によって挟圧するよう着脱自在に固定され、これにより当該被連結部材２０がヘルメット１０に装着されている。
【００１９】
また、被連結部材２０のクリップ受け部分２２は、ヘルメット１０の外表面に沿って固定用挟圧部２１から上方に伸びる中央基板部２３の上方部分が、中央基板部２３の延長部分である背面側板状部と、この背面側板状部と離間して平行に伸びる表面側板状部とを有する、断面が矩形枠状でその上端が開口した状態の矩形筒状体として形成されており、この矩形筒状体の表面側板状部により、クリップ受け部分２２が形成されている。このクリップ受け部分２２の上端縁は、略水平方向に伸びるものとされ、その幅方向の寸法は、連結部材３０の外側片３３の横幅より大きいものとされている。
【００２０】
そして、連結部材３０における外側片３３が、その先端から、被連結部材２０のクリップ受け部分２２に挿入されることにより、連結部材３０が被連結部材２０に遊嵌状態に係合されている。
具体的には、被連結部材２０のクリップ受け部分２２に係る矩形枠部分の内部間隔、すなわち、被連結部材２０の表面側板状部と背面側板状部との間の離間距離は、連結部材３０に係る弾性金属板の厚みより大きいものとされると共に、被連結部材２０のクリップ受け部分２２の弾性金属板の厚みが、連結部材３０の内側片３２と外側片３３との間の離間距離よりも小さいものとされ、これにより、当該連結部材３０が、被連結部材２０に対して遊嵌状態で連結された状態とされている。
【００２１】
上記のガス検知器付ヘルメットは、ヘルメット１０と、ガス検知器４０と、ヘルメット１０に被装着部を形成するための被連結部材２０と、ガス検知器４０を被連結部材２０に連結するための連結部材３０とにより構成されるものである。
そして、被連結部材２０を、その固定用挟圧部２１がヘルメット１０の周縁部１０Ａを挟圧するよう固定することにより、被装着部が設けられる。
一方、連結部材３０のクリップ部材をその弾性力に抗してその内側片３２と外側片３３とを若干離間させた状態で、当該クリップ部材をガス検知器４０の連結用ピン５０に係る間隙部４８に通すことにより、ガス検知器４０に連結部材３０が遊嵌状態に係合され、これにより、ガス検知器４０と連結部材３０とが遊嵌状態で連結される。
更に、連結部材３０の外側片３３を、被装着部を構成する被連結部材２０のクリップ受け部分２２に係る矩形枠部分に挿通させることにより、連結部材３０が遊嵌状態に係合され、これにより、連結部材３０とヘルメット１０の被装着部とが遊嵌状態で連結される。
【００２２】
このような構成のガス検知器付ヘルメットは、ヘルメット１０が作業員などの頭部に装着されて使用される。この使用状態においては、ヘルメット１０の被装着部を構成する被連結部材２０における、ヘルメット１０の外面に位置された矩形枠部分のクリップ受け部分２２に、重力の作用により、連結部材３０の頂部湾曲部３１に係る個所が係合すると共に、外側片３３の先端が被連結部材２０の中央基板部２３の下方部分に対接することにより、ガス検知器４０と連結部材３０との連結体が、半ば吊り下げられた状態で保持されることとなる。
【００２３】
また、ガス検知器４０と連結部材３０との連結体においては、連結部材３０に係るクリップ部材が、頂部湾曲部３１から伸びる内側片３２と外側片３３が、当該外側片３３の下部に形成された内方突出部３３Ｂが内側片３２に弾性的に当接することにより、細長い環状体が形成され、この環状体に連結用ピン５０が挿通された状態とされていると共に、内側片３２の先端が被係合ピン５２に係合することにより、連結部材３０がガス検知器４０に、いわゆるガタのある状態で連結された状態とされている。
【００２４】
当該ガス検知器付ヘルメットの使用状態において、ヘルメット装着者の周囲環境における検知対象ガスが所定の濃度となったとき、例えば危険性ガスの濃度が高くなって許容値を超えたとき、あるいは酸素濃度が低下して許容値を下回ったときには、ガス検知器４０においてその検知対象ガスの状態が検知され、それにより振動子４６が作動し、また、他の警報機構が作動する。
【００２５】
このガス検知器付ヘルメットにおいては、ヘルメット１０に対して、ガス検知器４０と連結部材３０との連結体の全体が遊嵌状態で連結された状態であり、かつ、当該ガス検知器４０と連結部材３０との連結体において、連結部材３０に対してガス検知器４０が遊嵌状態で連結された状態である。
このため、ガス検知器４０の振動子４６が作動すると、連結部材３０に対してガス検知器４０それ自体が振動体として振動することとなり、このガス検知器４０の振動は、連結部材３０が遊嵌状態に係合していることから、増幅された状態で連結部材３０に伝達されることとなる。
【００２６】
一方、当該連結部材３０は、ヘルメット１０に対して遊嵌状態で連結された状態であるから、当該連結部材３０の振動が増幅された状態で、被連結部材２０による被装着部２０を介してヘルメット１０に伝達されることとなり、結局、当該ヘルメット１０に対して、ガス検知器４０と連結部材３０との連結体が複合的振動体として作用することとなる。
【００２７】
そして、ガス検知器４０の振動子４６を振動源とする振動により、連結部材における２つの遊嵌状態の連結によって順次に大きい振動が発生されるので、ヘルメット１０に対しては、その被装着部を介して、大きく増幅された振動が伝達されることとなる。その結果、ヘルメット装着者は、頭部に装着しているヘルメット１０の全体が大きくまたは強く振動するために、その頭部に直接的に大きな振動が伝達されることとなる。
このように、本発明のガス検知器付ヘルメットによれば、ガス検知器４０が検知対象ガスを検知したときに、ヘルメット装着者に確実に警報を伝達することができる。
【００２８】
また、上記のガス検知器付ヘルメットにおいては、連結部材３０が環状体として構成されて、これに連結用ピン５０が挿通されてガス検知器４０との連結が達成されると共に、同時に被連結部材２０の矩形枠部分が同様に連結部材３０に係る環状体が通過する状態とされているので、ヘルメット１０の天地（上下方向）が逆にされた場合にも、ヘルメット１０の被連結部材２０からの連結部材３０の脱落、並びに、当該連結部材３０からのガス検知器４０の脱落が生ずることがない。
【００２９】
以上のように、本発明においては、ヘルメットに連結部材を介してガス検知器を装着してなるガス検知器付ヘルメットにおいて、連結部材とガス検知器との間の連結、並びに、連結部材とヘルメットの被装着部との間の連結を、いずれも、遊嵌状態で構成することにより、ガス検知器の有する振動子の振動が、ガス検知器と連結部材との連結体の大きな複合的振動としてヘルメットに伝達され、その結果、ヘルメット装着者に対して確実に警報を伝達することができる。
【００３０】
これに対して、振動子を有するガス検知器を連結部材に固定して連結し、この連結部材をヘルメットに対して固定して連結した構成では、確実に振動子の振動をヘルメットに伝達することはできても増幅されるようなことはなく、従って、ヘルメット装着者に対して警報の伝達の確実性が低いものである。
【００３１】
本発明において、遊嵌状態の連結を達成するための具体的な構成は、特に規定されるべきものではない。
【００３２】
以上、本発明の具体的な一例について説明したが、本発明においては、種々の変更を加えることが可能である。
例えば、連結部材および被連結部材の連結の態様は、特に上記の例に限定されるものではない。
【図面の簡単な説明】
【００３３】
【図１】本発明のガス検知器付ヘルメットの一例における要部を示す説明用断面図である。
【図２】ガス検知器の正面図である。
【図３】ガス検知器に連結部材が連結された状態を示す説明用縦断側面図である。
【図４】連結部（図２のＸ部分）の拡大図である。
【図５】本発明の一例におけるガス検知器の背面図である。
【符号の説明】
【００３４】
１０  ヘルメット
１０Ａ  ヘルメットの周縁部
２０  被連結部材
２１  固定用挟圧部
２２  クリップ受け部分
２３  中央基板部
３０  ガス検知器装着用連結部材
３１  頂部湾曲部
３２  内側片
３２Ａ  下端
３３  外側片
３３Ａ  先端部
３３Ｂ  内方突出部
４０  ガス検知器
４１  表示部
４２  ガスセンサー
４３  ブザー
４４  発光部
４６  振動子
４７  操作部
４８  間隙部
５０  連結用ピン
５２  被係合ピン
【図１】
0004695502.tif 000002
【図２】
0004695502.tif 000003
【図３】
0004695502.tif 000004
【図４】
0004695502.tif 000005
【図５】
0004695502.tif 000006